(57)【要約】【課題】操作釦の接点の劣化判定を、高精度なセンサを使用せずに的確に把握できるエレベータ操作釦の接触不良診断装置を提供する。【解決手段】  エレベータの乗場やかご内に複数個配設されるとともに、押下によって移動する稼動接点と、この稼動接点と当接して導通する固定接点と、で少なくとも構成され、稼動接点と固定接点の導通で予め割り当てられた階床の呼び登録を行うエレベータ操作釦の接触不良診断装置において、稼動接点と固定接点の当接を検出すると信号を出力する接点当接検出部２Ａと、稼動接点と固定接点の導通が所定時限連続すると信号を出力する接点安定導通検出部２Ｂと、接点当接検出部２Ａの信号出力から接点安定導通検出部２Ｂの信号出力までの時間を計数する計時部２Ｅと、この計時部２Ｅが計数した時限が所定時間以上のとき当該接点１Ａの接触不良と判定するようにした。【選択図】図１
2016179888.tif 000002
【特許請求の範囲】
【請求項１】
エレベータの乗場やかご内に複数個配設されるとともに、押下によって移動する稼動接点と、この稼動接点と当接して導通する固定接点と、で少なくとも構成され、前記稼動接点と前記固定接点の導通で予め割り当てられた階床の呼び登録を行うエレベータ操作釦の接触不良診断装置において、
前記稼動接点と前記固定接点の当接を検出すると信号を出力する接点当接検出部と、
前記稼動接点と前記固定接点の導通が所定時限連続すると信号を出力する接点安定導通検出部と、
前記接点当接検出部の信号出力から前記接点安定導通検出部の信号出力までの時限を計数する計時部と、
を備え、前記計時部が計数した時限が所定時間以上のとき当該接点の接触不良と判定することを特徴とするエレベータ操作釦の接触不良診断装置。
【発明の詳細な説明】
【技術分野】
【０００１】
本発明は、エレベータ操作釦の接触不良診断装置に関する。
【背景技術】
【０００２】
従来、機械的な操作により信号を出力する操作釦の接点を流れる電流と、接点に印加される電圧と、に基づいて接触抵抗値を演算し、この接触抵抗値によって操作釦の接点接触不良の予告検出や、演算した接触抵抗値を記憶し、接触抵抗値の変化度合いから操作釦の取替時期を判定する技術が開示されている（特許文献１）。
【先行技術文献】
【特許文献】
【０００３】
【特許文献１】特開２０１４−００９０７４号公報
【発明の概要】
【発明が解決しようとする課題】
【０００４】
特許文献１の技術は、操作釦の接触抵抗値をアナログ回路である電流及び電圧センサにより計測し、演算した結果にて劣化を予測しているが、接点の接触抵抗値の変化は微小であり、これを検知するには分解能の高い高精度な電流及び電圧センサが必要となり、システム構築に費やすコストが高くなる問題があった。
【０００５】
本発明の目的は、操作釦の接点の劣化判定を、高精度なセンサを使用せずに的確に把握できるエレベータ操作釦の接触不良診断装置を提供することにある。
【課題を解決するための手段】
【０００６】
上記目的を達成するために本発明は、エレベータの乗場やかご内に複数個配設されるとともに、押下によって移動する稼動接点と、この稼動接点と当接して導通する固定接点と、で少なくとも構成され、前記稼動接点と前記固定接点の導通で予め割り当てられた階床の呼び登録を行うエレベータ操作釦の接触不良診断装置において、前記稼動接点と前記固定接点の当接を検出すると信号を出力する接点当接検出部と、前記稼動接点と前記固定接点の導通が所定時限連続すると信号を出力する接点安定導通検出部と、前記接点当接検出部の信号出力から前記接点安定導通検出部の信号出力までの時間を計数する計時部と、を備え、前記計時部が計数した時限が所定時間以上のとき当該接点の接触不良と判定するエレベータ操作釦の接触不良診断装置である。
【発明の効果】
【０００７】
本発明によれば、操作釦の接点が当接してから接点が所定時限連続して導通するまでの時間を計測し、この時間が所定時間を超えると、接点の接触不良と判定するようにしたので、高精度な電流及び電圧センサを必要とせず、操作釦の劣化判定が的確に行える。
【図面の簡単な説明】
【０００８】
【図１】本発明の一実施形態の要部構成を示すブロック図である。
【図２】図１の要部構成における入出力波形を示すタイムチャートである。
【発明を実施するための形態】
【０００９】
以下、本発明の一実施形態を図１、図２を用いて説明する。
【００１０】
図において、エレベータの図示しない乗場に設けられ、乗場呼び登録を行う操作釦１〜Ｎは、電源Ｖｃｃと接地ＧＮ間に接点１Ａと負荷Ｒとが直列接続され、操作釦１の押下により接点１Ａが閉成すると、接点１Ａと負荷Ｒの接続点からＶｃｃの電位を有する信号Ｓ１が出力される。
【００１１】
また、接点１Ａは、押下により移動する図示しない稼動接点と、この図示しない稼動接点と当接する図示しない固定接点と、で構成され、図示しない稼動接点と図示しない固定接点が当接するとき、押圧により接点１Ａや接点取り付け部の破損を防止するため、図示しない稼動接点は図示しない可撓体に取り付けられ、図示しない稼動接点は図示しない固定接点の表面を押圧が分散する方向へ接触しながら移動することとなる。
【００１２】
また、図示しない稼動接点及び図示しない固定接点の表面に不導体の酸化皮膜が発生すると、図示しない稼動接点が図示しない固定接点を移動するときにアーク放電が発生し、このアーク放電によって酸化皮膜が剥離することで、接触不良を防止している。ここで、アーク放電は酸化皮膜を全て剥離するわけではなく、図示しない稼動接点及び図示しない固定接点の表面は凹凸状となっている。
【００１３】
一方、図示しない稼動接点は、図示しない固定接点の表面を導体部分と酸化皮膜である不導体とに接触しながら移動するので、信号Ｓ１は、当初導通と遮断を繰返すチャタリングが生じ、その後安定した導通に至る。ここで、図示しない稼動接点と図示しない固定接点の酸化皮膜が経年で厚くなることや、操作釦１の経年劣化が生じ、操作釦１の稼働部や支持部の摩耗、操作釦１の図示しない復帰ばねや図示しない可視体の脆化か顕著となると、導通と遮断を繰返すチャタリングの時限が増加し、図示しない稼動接点が図示しない固定接点に当接し、安定した導通に至るまでの時間が長くなる。
【００１４】
次に、操作釦１〜Ｎの接点１Ａと負荷Ｒの接続点とチャタリング時限検出装置２〜２ｎが接続され、チャタリング時限検出装置２〜２ｎとエレベータ異常検出装置３が接続され、エレベータ異常検出装置３はネットワこク４を介してエレベータの異常を遠隔的に監視する監視センタ５に接続されている。
【００１５】
チャタリング時限検出装置２〜２ｎは、接点１Ａと負荷Ｒの接続点に接続され、信号Ｓ１を入力する接点当接検出部２Ａと、接点安定導通検出部２Ｂと、接点当接検出部２Ａの出力端子と一方の入力端子に接続され、接点当接検出部２Ａの出力信号である信号Ｓ２を入力するとともに、接点安定導通検出部２Ｂの出力端子とＮＯＴ回路２Ｃを介して他方の入力端子に接続され、接点安定導通検出部２Ｂの出力信号である信号Ｓ３を入力し、信号Ｓ４を出力するＡＮＤ回路２Ｄと、このＡＮＤ回路２Ｄの出力端子に接続され、信号Ｓ４が“Ｈ”の時限を計測する計時部２Ｅと、この計時部２Ｅで計測した時限をエレベータ異常検出装置３へ出力する出力部２Ｆと、で少なくとも構成されている。
【００１６】
接点当接検出部２Ａは、操作釦１が時点Ｔ１で押下され接点１Ａが閉成すると、接点１Ａと負荷Ｒの接続点から信号Ｓ１が入力され、ＡＮＤ回路２Ｄの一方の入力端子へ信号Ｓ２を出力する。ここで、接点当接検出部２Ａの入力信号である信号Ｓ１が導通と遮断を繰返すチャタリング状態であっても、接点当接検出部２Ａは最初の“Ｈ”で信号Ｓ２を出力するものとする。
【００１７】
次に、接点安定導通検出部２Ｂは、接点当接検出部２Ａと同様に、接点１Ａと負荷Ｒの接続点から信号Ｓ１が入力され、入力信号である信号Ｓ１が所定時限である時限ｔ１（例えば、５μｓｅｃ）“Ｈ”を継続すれば、ＮＯＴ回路２Ｃを介してＡＮＤ回路２Ｄの他方の入力端子へ、信号Ｓ３を出力する。
【００１８】
また、ここで、接点安定導通検出部２Ｂは、信号Ｓ１の“Ｈ”を継続した時点Ｔ２から時限ｔ１である例えば５μｓｅｃ“Ｈ”を継続した時点Ｔ３で、信号Ｓ３を出力するものとする。ここで、時点Ｔ２〜時点Ｔ３の時限ｔ１を、接点１Ａのチャタリング終了判定時限として予め接点安定導通検出部２Ｂへ設定しておく。
【００１９】
次に、ＡＮＤ回路２Ｄの出力端子から計時部２Ｅへ信号Ｓ４を出力する。ここで、信号Ｓ４は時点Ｔ１〜時点Ｔ３が“Ｈ”となる。
【００２０】
次に、ＡＮＤ回路２Ｄから信号Ｓ４を入力した計時部２Ｅは、信号Ｓ４の“Ｈ”なる時限ｔ２を計数し、時限ｔ２の計数値を出力部２Ｆを介してエレベータ異常検出装置３へ出力する。ここで、時点ＴＩ〜時点Ｔ３の時限ｔ２は、接点１Ａの接触不良判定時限であり、時点Ｔ１〜時点Ｔ２のチャタリング時限と時限ｔ１を加えた時限となる。
【００２１】
また、エレベータ異常検出装置３は、入力部３Ａと制御部３Ｂと記憶部３Ｃと通信部３Ｄで少なくとも構成され、制御部３Ｂは、エレベータ異常検出装置３の構成機器への指令や制御を行い、記憶部３Ｃは、チャタリング時限検出装置２から送信される時限ｔ２の操作釦１〜Ｎ毎の計数値の格納、接点１Ａの劣化判定のための基準チャタリング時限（閥値）の記憶、が少なくとも成され、通信部３Ｄは、チャタリング時限検出装置２から送信される時限ｔ２が記憶部３Ｃに記憶される基準チャタリング時限を越えている（接触不良判断）と、判断した制御部３Ｂにて起動され、ネットワーク４を介して監視センタヘ接点１Ａの接触不良発生を通報する。
【００２２】
次に、操作釦１が経年劣化したときのチャタリング時限検出装置２の動作を説明する。
【００２３】
接点当接検出部２Ａは、接点１Ａと負荷Ｒの接続点から信号Ｓ１ａが入力され、ＡＮＤ回路２Ｄの一方の入力端子へ信号Ｓ２ａを出力する。
【００２４】
次に、接点安定導通検出部２Ｂは、入力信号である信号Ｓ１ａが所定時限である時限ｔ１（例えば、５μｓｅｃ）“Ｈ”を継続すれば、ＮＯＴ回路２Ｃを介してＡＮＤ回路２Ｄの他方の入力端子へ、信号Ｓ３ａを出力する。ここで、接点安定導通検出部２Ｂは、信号Ｓ１の“Ｈ”を継続した時点Ｔ２から時限ｔ１である例えば５μｓｅｃ“Ｈ”を継続した時点Ｔ３で、信号Ｓ３ａを出力する。
【００２５】
次に、ＡＮＤ回路２Ｄの出力端子から計時部２Ｅへ信号Ｓ４ａを出力する。ここで、信号Ｓ４ａは時点Ｔ１〜時点Ｔ３が“Ｈ”となる。
【００２６】
次に、ＡＮＤ回路２Ｄから信号Ｓ４ａを入力した計時部２Ｅは、信号Ｓ４ａの“Ｈ”なる時限ｔ３を計数し、時限ｔ３の計数値を出力部２Ｆを介してエレベータ異常検出装置３へ出力する。ここで、接点１Ａは接触不良に伴いチャタリング時限が信号Ｓ１より長い信号Ｓ１ａとなるため、時点Ｔ１〜時点Ｔ３の接点１Ａの接触不良判定時限は、時限ｔ２より長い時限ｔ３となる。
【００２７】
次に、エレベータ異常検出装置３の制御部３Ｂは、チャタリング時限検出装置２から送信された時限ｔ３が記憶部３Ｃに記憶される基準チャタリング時限を越えていると、接点１Ａの接触不良発生と判断し、通信部３Ｄを起動し、ネットワーク４を介して監視センタ５へ、接点１Ａの接触不良発生を通報する。
【００２８】
監視センタ５は、接点１Ａの接触不良発生を受信するが、接点１Ａの接触不良がエレベータの故障要因とは限らないので、接点１Ａの接触不良と同時に故障が発生したときや、当該エレベータの点検時に、接点１Ａの接触不良発生を図示しない出動所点へ連絡すれば良い。
【００２９】
尚、操作釦１〜Ｎの押下が解除され、接点１Ａが開放された時点Ｔ４である信号Ｓ１及び信号Ｓ１ａが“Ｌ”となると、接点当接検出部２Ａの出力信号Ｓ２及びＳ２ａ、接点安定導通検出部２Ｂの出力信号Ｓ３及びＳ３ａ、がそれぞれ“Ｌ”となる。
【００３０】
本実施形態によれば、チャタリング時限検出装置２は、操作釦１〜Ｎの接点１Ａが閉成時に生じるチャクリングの時限を計時部２Ｅで計測し、エレベータ異常検出装置は、計測したチャタリング時限が所定時限と比較することで、操作釦１〜Ｎの劣化の有無を判定するようにしたので、高精度な電流及び電圧センサを必要とせず、操作釦１〜Ｎの劣化判定が的確に行える。
【００３１】
また、電流及び電圧センサは、精度を保つため定期的に取り外して校正が必要となるが、本実施形態のチャタリング時限検出装置２は校正の必要もなく、不具合が生じたなら取り替えるだけで良い。
【符号の説明】
【００３２】
１〜Ｎ  操作釦
１Ａ  接点
２  チャタリング時限検出装置
２Ａ  接点当接検出部
２Ｂ  接点安定導通検出部
２Ｃ  ＮＯＴ回路
２Ｄ  ＡＮＤ回路
２Ｅ  計時部
２Ｆ  出力部
３  エレベータ異常検出装置
３Ａ  入力部
３Ｂ  制御部
３Ｃ  記憶部
３Ｄ  通信部
４  ネットワーク
５  監視センタ
【図１】
2016179888.tif 000003
【図２】
2016179888.tif 000004